(57)【特許請求の範囲】
【請求項１】
排便時に非接触で便の水分量を計測するための健康状態測定装置であって、排便時に併発されるガス中の二酸化炭素の濃度を測定するガスセンサと、あらかじめ前記二酸化炭素濃度−水分量換算データを記憶している記憶装置と、前記ガスセンサで測定された前記二酸化炭素濃度と換算データから前記便の水分推定値を演算する制御部と、を有することを特徴とする健康状態測定装置。
【請求項２】
前記二酸化炭素濃度−水分量換算データは、二酸化炭素濃度と便中に含まれるカルボン酸濃度との換算データ、およびカルボン酸濃度と水分量との換算データからなることを特徴とする請求項１に記載の健康状態測定装置。
【請求項３】
前記カルボン酸が酢酸または総カルボン酸であることを特徴とする請求項２に記載の健康状態測定装置。
【請求項４】
前記二酸化炭素濃度−水分量換算データは、二酸化炭素濃度と便に含まれる水分量との換算データであることを特徴とする請求項１に記載の健康状態測定装置。
【請求項５】
前記ガスセンサは、測定中の最高濃度を前記二酸化炭素濃度として検出可能であることを特徴とする請求項１乃至請求項４のいずれか１項に記載の健康状態測定装置。
【請求項６】
前記ガスセンサと連動する排便検知手段を備えることを特徴とする請求項５に記載の健康状態測定装置。
【請求項７】
洋式便器に付設された衛生洗浄便座装置に内蔵されるか、便座に内蔵されるか、或いは既設の洋式便器に後付けされることを特徴とする請求項１乃至請求項６のいずれか１項に記載の健康状態測定装置。
【請求項８】
携帯型であることを特徴とする請求項１乃至請求項６のいずれか１項に記載の健康状態測定装置。
【請求項９】
排便時に非接触で便の水分量を計測する健康状態測定方法であって、この方法は、ガスセンサを使用して排便時に併発されるガス中の所定成分の濃度を測定し、次に、あらかじめ記憶装置に記憶しておいた所定成分濃度−水分換算データを呼び出し、制御部において、上記所定成分濃度と換算データから便の水分推定値を演算し、前記所定成分が二酸化炭素であることを特徴とする健康状態測定方法。
【発明の詳細な説明】
【技術分野】
【０００１】
本発明は、腸内の健康状態を判断するための有力な指標の一つである排泄物中の水分量を、非接触で推定することのできる健康状態測定装置および測定方法に関する。
【背景技術】
【０００２】
人の腸内の健康状態を知るための指標の一つとして便の水分量を計測することが行われている。通常は、排泄された便を採取して重量を計り、その後乾燥により水分を除去し再度重量を計ることで両重量の差を計測して水分量としている。
【０００３】
非接触で排泄物中の水分量を測定あるいは推定する技術は知られていないが、非接触で水分量を測定する技術としては、たとえば特許文献１がある。特許文献１には、土壌用の水分測定装置に関するものであって、土壌の表面温度を赤外線強度によって感知し、この表面温度と外気温度との差を求め、その温度差から水分量を算出することが開示されている。
【０００４】
一方、排泄物とともに排出されるガス成分を利用して、腸内状態を知る技術としては特許文献２〜５がある。特許文献２は、腸内状態報知装置およびその方法に関する本出願人の発明である。この装置では、排泄物から出る排泄ガス中の水素ガスをガスセンサで測定し、ガスセンサから出力された信号値に対応した腸内状態情報を腸内健康度判定用付属情報から抽出してユーザに報知するものである。腸内状態情報としては、腸内に存在する種々の菌の総数、ビフィズス菌の数、悪玉菌の数、腸内菌の総数のうちのビフィズス菌数の割合、又は、腸内菌の総数のうちの悪玉菌数の割合等を採用している。
【０００５】
特許文献３に開示される排泄ガス測定装置及び方法も本出願人の発明であり、排泄ガス中の水素ガスあるいはメタンガスをガスセンサで検出し、ビフィズス菌数を推定して腸内健康度を判定するものである。
【０００６】
特許文献４に開示される健康測定装置は、排泄時に発生した臭気を酸化触媒で脱臭し、そのときに要した酸化電流から臭気成分濃度を検出するものである。
【０００７】
さらに、特許文献５に開示される生体モニタ装置は、布製のＴ字帯にガスセンサを装着し、肛門から放出されたガスをガスセンサで検知してデータ化し、メモリに蓄えられたデータと過去のデータとを比較し、差が大きい場合など異常が認められる場合に表示装置に警告を表示するものである。
また、特許文献６は臭いセンサを用いて定性的に便の状態を推定するもので、定量的に計測するものではない。
【０００８】
【特許文献１】特開２００６−２７５６１５号公報。
【特許文献２】特開２００５−３１５８３６号公報。
【特許文献３】特開２００５−２９２０４９号公報。
【特許文献４】特開平８−２１１０４８号公報。
【特許文献５】特開平９−４３１８２号公報。
【特許文献６】特許３５８２１７２号公報。
【発明の開示】
【発明が解決しようとする課題】
【０００９】
便の水分量を測定するのに便を採取するのは面倒であり、また乾燥のための時間がかかるため迅速性に欠ける。また計測時に便が重量計に接触するため計測のたびに洗浄しなくてはならない。
【００１０】
また、非接触で水分量を測定する技術は特許文献１に記載されたようなものであり、土壌のような広範囲の水分量を測定するには好適であっても、便のように温度変化が激しく、しかも、すぐ便器溜水中に落下してしまうものについて表面温度を測定することは困難であった。
【００１１】
また、腸内の健康度を知る尺度としては、特許文献２〜特許文献５に記載されているように腸内細菌、あるいは臭気を利用したもののみが知られていた。
【課題を解決するための手段】
【００１２】
本発明の健康状態測定装置は、排便時に非接触で便の水分量を計測するための健康状態測定装置であって、この装置は、排便時に併発されるガス中の所定成分の濃度をガスセンサによって測定し、あらかじめ記憶装置に記憶しておいた所定成分濃度−水分量換算データを呼び出し、制御部において、上記所定成分濃度と換算データから便の水分量推定値を演算する機能を有する構成である。
【００１３】
上記所定成分は二酸化炭素とした。また、前記所定成分濃度−水分量換算データとして、二酸化炭素濃度と便中に含まれるカルボン酸濃度との換算データ、およびカルボン酸濃度と水分量との換算データを使用することができ、カルボン酸としては、酢酸または総カルボン酸を用いることができる。ここで総カルボン酸とは腸内菌の代謝により生成される総てのカルボン酸であり例えば、蟻酸、酢酸、プロピオン酸、酪酸などを示す。
【００１４】
また、前記所定成分濃度−水分量換算データとして、二酸化炭素濃度と便に含まれる水分濃度との換算データを使用することもできる。
【００１５】
前記ガスセンサとしては、測定中の最高濃度（ピーク値）を前記所定成分濃度として検出可能であれば制限はない。さらに、前記ガスセンサと連動する排便検知手段を備えていてもよい。これにより大便を検知して確実にガスセンサのデータを取り込むので誤った情報を使用者に伝えることがなくなる。
【００１６】
本発明の健康状態測定装置は、例えば洋式便器に付設された衛生洗浄便座装置に内蔵したり、洋式便器の便座に内蔵したり、あるいは、既設の洋式便器に後付けすることができる。また、携帯型にして、どこのトイレに入っても手軽に便の水分を測定できるようにすることも可能である。
【００１７】
本発明の健康状態測定方法は、排便時に非接触で便の水分量を計測する健康状態測定方法であって、この方法は、ガスセンサを使用して排便時に併発されるガス中の所定成分濃度を測定し、次に、あらかじめ記憶装置に記憶しておいた所定成分濃度−水分量換算データを呼び出し、制御部において、上記所定成分濃度と換算データから便の水分量推定値を演算する。
【発明の効果】
【００１８】
本発明の健康状態測定装置および健康状態測定方法によれば、排泄物に直接触れることなく簡便に便の水分量を測定することができる。そのため、従来困難であった毎日の生活の中での体調の定常的チェックを可能とすることができる。
【発明を実施するための最良の形態】
【００１９】
本発明においては便の水分量を健康状態の判断に使用する。体調が不良の場合には下痢や便秘となることがよくある。一般的には便秘の便は水分量が６０％以下、水分量が９０％を越えると下痢便であることがわかっている。したがって便に含まれる水分量を知ることで健康状態を管理することが可能になる。
【００２０】
以下、図面を用いて本発明を具体的に説明する。図１（ａ）〜（ｃ）は、検出されたガス濃度から便の水分量を推定するための手順を示す一例であり、（ａ）は排便時に発生したガス中の二酸化炭素濃度Ｖ（電圧による）をガスセンサで測定した例を示すグラフである。横軸の時間（秒）は排便所要時間を表し、ｔ１は排便開始時、ｔ２は排便終了時である。ここでの排便時間とはガスセンサの出力が記憶された時間である。ガスセンサは、少なくとも最高濃度（ピーク値：Ｖｐ値）を検出することが可能であればどのようなものでも良い。Ｖｐ値は排便量が最も多い時点で出現するため、このときのガス濃度を採用すれば、より正確な水分量を推定することができる。なお、二酸化炭素濃度（センサ出力）のデータは、本装置が次に使用される前に当該濃度を消去するか、あるいは、別の記憶部に移行させることにより、データの混交を防止することができる。
【００２１】
図１（ｂ）は二酸化炭素の最高濃度（Ｖｐ値）と便中の酢酸濃度との相関を示すグラフのモデルである。後述の実施例において詳細に説明するが、実測したところ便中の酢酸濃度と併発されたガス中の二酸化炭素濃度には本図のような相関があることが判明した。その理由は明確ではないが、便の水分量は含まれるカルボン酸の濃度によって左右され、このカルボン酸の一定割合が体内で水と二酸化炭素に分解されているためと推測される。したがって、カルボン酸の内の大部分を占める酢酸の濃度も上記二酸化炭素濃度と相関があることになる。ここでは、二酸化炭素のＶｐ値に対応する酢酸濃度をＣａｃとした。
【００２２】
図１（ｃ）は酢酸濃度と水分量との相関を示すグラフのモデルである。便中の酢酸濃度と水分量の相関は、他に含まれる酸や塩基の影響を受けてデータは多少乱れるものの、ほぼ、直線的な関係を示すことが判明した。酢酸濃度と同様にカルボン酸濃度を使用することもできる。なお、二酸化炭素濃度から直接水分量を推定することもできる。
【００２３】
本グラフから、上記の酢酸濃度Ｃａｃに対応する水分量、すなわち二酸化炭素濃度のＶｐ値に対応する水分量Brを推測することができる。すなわち、Ｖｐを得てそのＶｐから二酸化炭素と酢酸の関係をあらわすグラフに適用してＣａｃを得、次いで酢酸と水分量の関係をあらわすグラフからＣａｃに対応する水分量Brを得ることができる。得られた水分量Brを表示して本人に示したり、さらに、記憶部に蓄積しておき、適宜呼び出して時系列の水分量を表示することにより毎日の健康状態を管理することができる。
【００２４】
本発明の健康状態測定装置は、例えば洋式便器に付設された衛生洗浄便座装置に内蔵したり、洋式便器の便座に内蔵したり、あるいは、既設の洋式便器に後付けすることができる。また、携帯型にして、どこのトイレに入っても手軽に便の水分を測定できるようにすることも可能である。
【００２５】
図２は、本発明の健康状態測定装置Ｍを内蔵した洋式便器に付設された衛生洗浄便座装置の一例を示す（部分透視）外観図である。便器１に付設された健康状態測定装置を内蔵した衛生洗浄便座装置２と便鉢３周縁の頂部との間に設けたスペースを利用して脱臭ファン用排気通路４が設置されている。脱臭ファン用排気通路４内に二酸化炭素センサ５と排便検知手段である臭いセンサ６が取り付けられている。また、記憶装置７および制御部８は一体化して衛生洗浄便座装置２の後部内に組み込まれ、さらに、演算結果である水分量データの表示部９は、衛生洗浄便座装置の操作部１０に組み込まれている。
【００２６】
すなわち、健康状態測定装置Ｍの構成は、二酸化炭素センサ５、臭いセンサ６、記憶装置７、制御部８および水分量データ表示部９からなる。なお、二酸化炭素センサ５および臭いセンサ６と制御部８とのデータ交換は結線により、また制御部８と表示部９とのデータ交換は赤外線により行っている。
【００２７】
図３は、本発明の健康状態測定装置（衛生洗浄便座装置に搭載）を使用した健康状態測定方法の手順を示す一例である。使用者（以後、「ユーザ」と呼ぶ。）の動作を左側に、衛生洗浄便座装置が行う処理（健康状態測定装置の処理を含む）を中央に、また、排便検知手段である臭いセンサの動作を右側に、それぞれ振り分けて表示した。
【００２８】
以下、本図を説明する。ユーザはトイレ内に入室し排便をして退室するのであるが、このトイレには本発明の健康状態測定装置が取り付けてあるため、退室する前には自分の便の水分量推定値を表示されることで、その日の体調を知り、あるいは継続的に測定していた場合は経時的な体調の変化を知ることができる。
【００２９】
ユーザが入室すると人体検知センサによって入室が検知される。するとガスセンサと臭いセンサのスイッチが入る。人体検知センサを使わない場合は、ユーザが健康状態測定装置の電源を手動で入れてもよい。
【００３０】
ユーザが着座すると着座センサが着座を検知し、ガスセンサと臭いセンサが記録および記憶を開始する。着座センサを使わずにユーザが各センサの始動スイッチを押してもよい。
【００３１】
ガスセンサと臭いセンサとは同時に稼動し記憶を開始する。ここで稼動開始時の両センサの時刻をｔ１とし、その時刻に対応するガスセンサの電圧値（Ｖｏｌ％濃度）をＶ１、臭いセンサの信号値をＶｓ１と呼ぶ。
【００３２】
ユーザが排便を開始し終了するまで、両センサは一定時間ｔｘごとにデータＶｘおよびＶｓｘを検出し、それらを記憶部に書き込む。
【００３３】
排便終了後、ユーザがおしり洗浄を開始する。このとき、洗浄ボタンと連動させて両センサの記録を終了させる。排便終了時の時間ｔ２と各センサのそのときの検知データＶ２、Ｖｓ２が記憶される。なお、排便前または排便中に洗浄ボタンが使われるケースもあることを考慮する場合は、洗浄ボタンと連動させずにユーザが手動で記憶終了させる形式としてもよい。
【００３４】
さらに臭いセンサ側では、ｔ１〜ｔ２の範囲の最大値であるＶｓｍａｘを検索し、その値が閾値（Ｖｃ）よりも高いかどうかを比較する。もしＶｓｍａｘ≦Ｖｃであった場合は排便なしと判断して臭いセンサとガスセンサの記録を消去する。Ｖｓｍａｘ＞Ｖｃであった場合は排便ありと判断する。
【００３５】
排便ありと判断された場合、制御部ではｔ１〜ｔ２の範囲で二酸化炭素濃度の最大値Ｖｍａｘを検索する。そしてＶｍａｘの値またはＶｍａｘから二酸化炭素濃度の最小値Ｖｂｌを引いた値を測定値（ピーク値Ｖｐ）として記憶部に記録する。
以上のことにより、尿をしたときと便をしたときとの区別が確実に出来、排便を間違いなく検出できる。また人が長く滞在すると呼気によりセンサの出力が変動することがあるが、そのような排便ではない場合との区別ができる。
【００３６】
上述の図１（ｂ）に示したような相関データに基づいてピーク値Ｖｐに対応する酢酸濃度Ｃａｃを同定し、図１（ｃ）の相関データに基づいて酢酸濃度Ｃａｃに対応する水分量Brを同定する。同定した水分量Brを記憶部に書き込み、さらに同定結果をユーザに表示等により報知する。
【００３７】
ユーザが離座すると、それを着座センサが感知し、また、退室すると人体検知センサによって退室が検知される。健康状態測定装置のスイッチは、離座または退室が検知されたときに電源ｏｆｆとする。
【００３８】
図４（ａ）〜（ｃ）は、本発明の健康状態測定装置（洋式便器後付けタイプ）の一例を示す概要図であり、（ａ）は洋式便器の外観図であり、健康状態測定装置１１は便鉢３の外側面に取り付けられている。また、（ｂ）は（ａ）のＡ−Ａ矢視図であって、健康状態測定装置１１は、便座２と便鉢３周縁の頂部との間に設けたスペースを利用して設けられたフック型の吸入ファン用通路１２によって便鉢３に固定されている。健康状態測定装置１１内部には、吸入ファン１３、二酸化炭素センサ５、一体化させた記憶装置７および制御部８が組み込まれている。
【００３９】
（ｃ）には、便器に取り付けられた健康状態測定装置１１を便座２に座ったユーザから見た状態（平面図）を示した。健康状態測定装置１１の上面はコントロールパネルになっていてユーザ操作用ボタン１４と水分量データ表示部９１５が設けられている。
【００４０】
図５は、本発明の健康状態測定装置（洋式便器後付けタイプ）を使用した健康状態測定方法の手順を示す一例である。ユーザの動作を左側に健康状態測定装置による処理を右側に振り分けて表示した。
【００４１】
まずユーザが入室しユーザ操作ボタンの中の動作開始スイッチを入れる。すると、健康状態測定装置の吸入ファンが起動し、次にガスセンサの起動および表示画面の起動が行われ、さらにガスセンサからの出力の記憶も開始される。ここで稼動開始時のガスセンサの検出時刻をｔ１とし、その時刻に対応するガスセンサの電圧値（Ｖｏｌ％濃度）をＶ１と呼ぶ。
【００４２】
ユーザが排便を開始し終了するまで、ガスセンサは一定時間ｔｘごとにデータＶｘを検出し、それらを記憶部に書き込む。
【００４３】
排便終了後、ユーザはユーザ操作ボタンの中の計測開始スイッチを入れる。この操作により、検出時刻ｔ２およびそれに対応するガスセンサの信号値Ｖ２が書き込まれ記憶部への書き込みが終了する。次に、制御部ではｔ１〜ｔ２の範囲のガスセンサ出力の最大値Ｖｍａｘを検索する。そしてＶｍａｘの値またはＶｍａｘから二酸化炭素濃度の最小値Ｖｂ１を引いた値を測定値（ピーク値Ｖｐ）として記憶部に記録する。
【００４４】
上述の図１（ｂ）に示したと同様な、二酸化炭素濃度と総カルボン酸濃度との相関データに基づいてピーク値Ｖｐに対応する総カルボン酸濃度Ｃｃｂを同定し、図１（ｃ）に示したと同様な総カルボン酸濃度と水分量との相関データに基づいて総カルボン酸濃度Ｃｃｂに対応する水分量Bｒを同定する。同定した水分量Bｒを記憶部に書き込み、さらに同定結果をユーザに表示等により報知する。
【００４５】
その後、ユーザが終了スイッチを押して健康状態測定装置の動作は終了する。これによって、ガスセンサ、表示画面および吸入ファンの動作も終了する。
【００４６】
図６は、本発明の健康状態測定装置（携帯タイプ）の一例を示し、（ａ）は正面図、（ｂ）は側面図、（ｃ）は透視外観図である。（ａ）に示すように携帯タイプの健康状態測定装置は、本体１６と検知部１７とに分かれていて、本体１６の表面には水分量データ表示部９と動作開始スイッチ１８および計測開始スイッチ１９が配置されている。なお、（ｂ）に示すように健康状態測定装置は携帯および使用に便利なように薄型に設計している。
【００４７】
健康状態測定装置の構造は、（ｃ）に示すように検知部１７の先端部には吸気口１７ａ、本体１６内部には吸入ファン１３、二酸化炭素センサ５、一体化させた記憶装置７および制御部８、位置検知手段２１、さらには電池２０が組み込まれている。
【００４８】
図７は、本発明の健康状態測定装置（携帯タイプ）を使用した健康状態測定方法の手順を示す一例である。ユーザの動作が左側に、健康状態測定装置による処理が右側に振り分けて表示してある。
【００４９】
まずユーザが入室し、健康状態測定装置の動作開始スイッチを入れる。すると、吸入ファンが起動し、次にガスセンサの起動および表示画面の起動も行われる。さらに超音波センサによる位置検知手段、すなわち、人体と吸気口１７ａとの距離を検知できる超音波センサが起動される。ユーザが吸気口１７ａの位置を適宜変化させると、超音波センサが最適位置を検知したときユーザに報知される機能である。次に、ガスセンサ出力の記憶が開始される。ここで記憶開始時のガスセンサの検出時刻をｔ１とし、その時刻に対応するガスセンサの電圧値（Ｖｏｌ％濃度）をＶ１と呼ぶ。
【００５０】
ユーザが排便を開始し終了するまで、ガスセンサは一定時間ｔｘ（例えば１秒）ごとにデータＶｘを検出し、それらを記憶部に書き込む。
【００５１】
排便終了後、ユーザは計測開始スイッチを入れる。この操作により、ガスセンサと吸入ファンは停止され、このときの検出時刻ｔ２およびそれに対応するガスセンサの信号値Ｖ２が書き込まれ記憶部への書き込みが終了する。次に、制御部ではｔ１〜ｔ２の範囲のガスセンサ出力の最大値Ｖｍａｘを検索する。そしてＶｍａｘの値またはＶｍａｘから二酸化炭素濃度の最小値Ｖｂ１を引いた値を測定値（ピーク値Ｖｐ）として記憶部に記録する。
【００５２】
二酸化炭素濃度と便の水分量との相関データに基づいてピーク値Ｖｐに対応する水分量Ｂｒを同定する。同定した水分量Ｂｒを記憶部に書き込み、さらに同定結果をユーザに表示等により報知する。
【００５３】
その後、ユーザが動作開始（終了）スイッチを押して健康状態測定装置の動作は終了する。表示画面の終了については、上記動作開始（終了）スイッチを押したときに一緒に消去しても良いし、別途、表示画面終了ボタンを設けておいても良い。
【００５４】
（実施例）
以下、併発されたガス中の二酸化炭素濃度と水分量との相関を調べた実施例を示す。
【００５５】
実施例１（衛生洗浄便座装置への組込タイプ）
本実施例は、図２に示した衛生洗浄便座装置への組込タイプの健康状態測定装置を使用し、ほぼ図３に示した手順に沿って操作を行った。図８（ａ）は、本実施例で採用した、二酸化炭素濃度から水分量を推定する手順を示す概念図、および（ｂ）、（ｃ）は換算データである。（ａ）に示したように、排便時に併発されるガス中の二酸化炭素を利用して便中の酢酸濃度を推定し、さらに酢酸濃度から水分量を推定した。（ｂ）は排便時に発生されたガス中の二酸化炭素濃度（電圧による。容量％で表示）のピーク値Ｖｐと、そのときに採取した便中の酢酸濃度（μｍｏｌ／ｇ）との相関を調べたデータである。データのばらつきはあるものの、ほぼ直線的な相関があることが判った。また、（ｃ）は便中の酢酸濃度と便の水分量との相関を示すデータである。このデータから見て、酢酸濃度と水分量には良好な相関があることが分る。
【００５６】
実施例２（洋式便器後付けタイプ）
本実施例は、図４に示した洋式便器後付けタイプの健康状態測定装置を使用し、ほぼ図５に示した手順に沿って操作を行った。図９（ａ）は、本実施例で採用した二酸化炭素濃度から水分量を推定する手順を示す概念図、（ｂ）、（ｃ）は換算データである。（ａ）に示したように、排便時に併発されるガス中の二酸化炭素を利用して便中の総カルボン酸濃度（全有機酸濃度。図中ではＴ−ＶＦＡと表示）を推定し、さらに総カルボン酸濃度から水分量を推定した。総カルボン酸には酢酸が最も多く含まれるが、その他プロピオン酸、酪酸等が含まれている。
【００５７】
図９（ｂ）は排便時に併発されたガス中の二酸化炭素濃度（電圧による。容量％で表示）のピーク値Ｖｐと、そのときに採取した便中の総カルボン酸濃度（μｍｏｌ／ｇ）との相関を調べたデータである。データのばらつきはあるものの、ほぼ直線的な相関があることが判った。また、図９（ｃ）は便中の総カルボン酸濃度と便の水分量との相関を示すデータである。このデータから見て、総カルボン濃度と水分量には良好な相関があることが分る。
【００５８】
実施例３（携帯タイプ）
本実施例は、図６に示した携帯タイプの健康状態測定装置を使用し、ほぼ図７に示した手順に沿って操作を行った。図１０は、本実施例で採用した二酸化炭素濃度からダイレクトに水分量を推定する手順を示す概念図と換算データである。排便時に併発されるガス中の二酸化炭素を利用して便の水分量を推定した。排便時に発生したガス中の二酸化炭素濃度（電圧による。容量％で表示）のピーク値Ｖｐと、そのときに採取した便の水分量（％）との相関を調べたデータは、ばらつきはあるものの相関が認められた。
【００５９】
以上の各実施例によれば、併発ガス中の二酸化炭素濃度から便の水分量を推定することが十分可能であることが判った。また、実施例１の酢酸濃度あるいは実施例２の総カルボン酸濃度を経由する方法を採用すれば、各酸の濃度と水分量には良好な相関があるため、一段と良好な結果をもたらすとものと思われる。
便の水分量が定量的に計測できることにより、例えば同じ下痢便でもどの程度の水分量の下痢便かがわかるので、より詳しく便の状態がわかる。
【図面の簡単な説明】
【００６０】
【図１】（ａ）〜（ｃ）は本発明に係る検出されたガス濃度から便の水分量を推定するための手順を示す一例。
【図２】本発明の健康状態測定装置（衛生洗浄便座装置に搭載）の一例を示す（部分透視）外観図
【図３】本発明の健康状態測定装置（衛生洗浄便座装置に搭載）を使用した健康状態測定方法の手順を示す図
【図４】本発明の健康状態測定装置（洋式便器後付けタイプ）の一例を示す概要図
【図５】本発明の健康状態測定装置（洋式便器後付けタイプ）を使用した健康状態測定方法の手順を示す図
【図６】本発明の健康状態測定装置（携帯タイプ）の一例を示し、（ａ）は正面図、（ｂ）は側面図、（ｃ）は透視外観図
【図７】本発明の健康状態測定装置（携帯タイプ）を使用した健康状態測定方法の手順を示す図
【図８】実施例１で採用した二酸化炭素濃度から水分量を推定する手順を示し、（ａ）は概念図、（ｂ）、（ｃ）は換算データを示す図
【図９】実施例２で採用した二酸化炭素濃度から水分量を推定する手順を示し、（ａ）は概念図、（ｂ）、（ｃ）は換算データを示す図
【図１０】実施例３で採用した二酸化炭素濃度から水分量を推定する手順を示す概念図と換算データを示す図
【符号の説明】
【００６１】
１…便器、２…衛生洗浄便座装置、３…便鉢、４…脱臭ファン用排気通路、５…二酸化炭素センサ、６…臭いセンサ、７…記憶装置、８…制御部、９…水分データ表示部、１０…衛生洗浄便座装置操作部、１１…健康状態測定装置（洋式便器後付タイプ）、１２…吸入ファン用通路、１３…吸入ファン、１４…ユーザ操作用ボタン、１６…健康状態測定装置（携帯タイプ）の本体、１７…検知部、１８…動作開始スイッチ、１９…計測開始スイッチ、２０…電池、２１…位置検知手段、Ｍ…健康状態測定装置。
【図１】
0004849036.tif 000002
【図２】
0004849036.tif 000003
【図３】
0004849036.tif 000004
【図４】
0004849036.tif 000005
【図５】
0004849036.tif 000006
【図６】
0004849036.tif 000007
【図７】
0004849036.tif 000008
【図８】
0004849036.tif 000009
【図９】
0004849036.tif 000010
【図１０】
0004849036.tif 000011